(57)【要約】【課題】録音装置における、使用者の使用勝手の向上。【解決手段】  音声を集音する複数のマイクロフォンを有する録音装置であって、指向性を持たない第１のマイクロフォンと第２のマイクロフォンと、指向性を持つ第３のマイクロフォンと、第３のマイクロフォンを、第１のマイクロフォンと第２のマイクロフォンの間に収納される収納位置から筐体に対して突出状態にある突出位置まで移動可能とする移動手段と、第３のマイクロフォンの位置に応じて、複数の録音条件のいずれか１つに基づいて録音を実行する制御手段を備えることを特徴とする。【選択図】図２１
2012100238.tif 000002
【特許請求の範囲】
【請求項１】
音声を集音する複数のマイクロフォンを有する録音装置であって、
指向性を持たない第１のマイクロフォンと第２のマイクロフォンと、
指向性を持つ第３のマイクロフォンと、
前記第３のマイクロフォンを、筐体の前記第１のマイクロフォンと前記第２のマイクロォンが配置される配置面に収納される収納位置から該配置面に対して突出状態にある突出位置まで移動可能とする移動手段と、
前記第３のマイクロフォンの位置に応じて、複数の録音条件のうちいずれか１つを録音するための条件として設定する設定手段を備えることを特徴とする、録音装置。
【請求項２】
前記複数の録音条件は、前記第１のマイクロフォンと前記第２のマイクロフォンから出力される音声信号に基づいて録音を行う第１録音条件と、前記第３のマイクロフォンから出力される音声信号に基づいて録音を行う第２録音条件を含み、
前記設定手段は、前記第３のマイクロフォンが前記収納位置にある場合には前記第１録音条件にて録音を実行するための設定を行い、該第３マイクロフォンが前記突出位置にある場合には、前記第２録音条件にて録音を実行するための設定を行うことを特徴とする、請求項１記載の録音装置。
【請求項３】
前記複数のマイクロフォンに対して感度を選択する感度選択手段と、
前記第３のマイクロフォンが前記突出位置にある場合には、前記第３のマイクロフォンに対して前記選択された感度よりも高い感度を設定する感度設定手段を更に備える、請求項１または２に記載の録音装置。
【発明の詳細な説明】
【技術分野】
【０００１】
本発明は、録音装置に関し、特に、音声を集音可能な複数のマイクロフォンを備えた録音装置に関する。
【背景技術】
【０００２】
指向性を有するマイクロフォンと指向性を持たない（無指向性）マイクロフォンとを備え、指向性を持つマイクロフォンからの音声信号を記録する録音条件と指向性を持たないマイクロフォンからの音声信号を記録する録音条件とに切換可能な音声記録再生装置が、特開２００４−２５４０７４号公報（特許文献１）に記載されている。
【特許文献１】特開２００４−２５４０７４号公報
【０００３】
しかしながら、録音条件の切換は、ユーザが音の発生する発声源を判断し、指向性のマイクロホンと無指向性のマイクロフォンとのいずれが音声信号を記録するのに適しているかを判断しなければならない。また、従来は、録音条件を切り換えるために、メニュー画面などからその下位の階層に配置された録音条件を切り換えるための画面を表示させて、録音条件を切り換えなければならず、録音条件を切り換えるための操作が煩雑になるといった問題があった。
【発明の開示】
【発明が解決しようとする課題】
【０００４】
この発明は、上述した問題点を解決するためになされたもので、この発明の目的の１つ
は、録音条件を設定する操作を容易にした録音装置を提供することである。
【課題を解決するための手段】
【０００５】
この発明のある局面によれば、録音装置は、音声を集音する複数のマイクロフォンを有し、指向性を持たない第１のマイクロフォンと第２のマイクロフォンと、指向性を持つ第３のマイクロフォンと、第３のマイクロフォンを、筐体の第１のマイクロフォンと第２のマイクロフォンが配置される配置面に収納される収納位置から該配置面に対して突出状態にある突出位置まで移動可能とする移動手段と、第３のマイクロフォンの位置に応じて、複数の録音条件のいずれか１つを録音するための条件として設定する設定手段を備える。
【０００６】
この局面に従えば、第３のマイクロフォンの位置に応じて録音の録音条件のいずれか１つが録音するための条件として設定される。従って、使用者は第３のマイクロフォンの位置を移動させる操作をするだけで、複数の録音条件のいずれか１つが設定されるため、この結果、録音条件を設定する操作を容易にした録音装置を提供することができる。
【０００７】
好ましくは、複数の録音条件は、第１のマイクロフォンと第２のマイクロフォンから出力される音声信号に基づいて録音を行う第１録音条件と、第３のマイクロフォンから出力される音声信号に基づいて録音を行う第２録音条件を含み、設定手段は、第３のマイクロフォンが収納位置にある場合には第１録音条件にて録音を実行するための設定を行い、該第３マイクロフォンが突出位置にある場合には、第２録音条件にて録音を実行するための設定を行う。
【０００８】
この局面に従えば、第１のマイクロフォンと第２のマイクロフォンから出力される音声信号に基づいて録音を行う第１録音条件と第３のマイクロフォンから出力される音声信号に基づいて録音を行う第２録音条件とを、第３のマイクロフォンの位置に応じて切り替えることが出来る。
【０００９】
好ましくは、複数のマイクロフォンに対して感度を選択する感度選択手段と、第３のマイクロフォンが突出位置にある場合には、第３のマイクロフォンに対して選択された感度よりも高い感度を設定する感度設定手段を更に備える。
【００１０】
この局面に従えば、第３のマイクロフォンが突出位置にある場合には、使用者が設定した感度よりも高い感度が自動的に設定されるため、使用者の操作に適切な条件で録音を実行することが出来る。
【発明の効果】
【００１１】
本発明の録音装置によれば、使用者によって容易に録音条件を設定することができる。
【図面の簡単な説明】
【００１２】
【図１】本発明の一実施形態であるＩＣレコーダの正面図である。
【図２】本発明の一実施形態であるＩＣレコーダの斜視図である。
【図３】本発明の一実施形態であるＩＣレコーダの正面図である。
【図４】本発明の一実施形態であるＩＣレコーダの斜視図である。
【図５】本発明の一実施形態であるマイク部が第１位置に保持されているＩＣレコーダの一部の正面図である。
【図６】本発明の一実施形態であるマイク部が第１位置に保持されているＩＣレコーダの一部の斜視図である。
【図７】本発明の一実施形態であるマイク部が第１位置に保持されているＩＣレコーダの他の一部の背面図である。
【図８】本発明の一実施形態であるマイク部が第１位置に保持されているＩＣレコーダの他の一部の斜視図である。
【図９】本発明の一実施形態であるマイク部が第１位置に保持されているＩＣレコーダの一部の上面図である。
【図１０】本発明の一実施形態であるマイク部が第１位置に保持されているＩＣレコーダの一部の断面図である。
【図１１】本発明の一実施形態であるマイク部が第２位置に保持されているＩＣレコーダの一部の正面図である。
【図１２】本発明の一実施形態であるマイク部が第２位置に保持されているＩＣレコーダの一部の斜視図である。
【図１３】本発明の一実施形態であるマイク部が第２位置に保持されているＩＣレコーダの一部の上面図である。
【図１４】本発明の一実施形態であるマイク部が第２位置に保持されているＩＣレコーダの一部の断面図である。
【図１５】本発明の一実施形態であるマイク部が第１位置に保持されているＩＣレコーダの一部の断面図である。
【図１６】本発明の一実施形態であるＩＣレコーダの回路構成の一部を示すブロック図である。
【図１７】本発明の一実施形態であるＩＣレコーダのマイクロフォンとマイク部との位置に関係を示すマイクテーブルを示す図解図である。
【図１８】本発明の一実施形態であるＩＣレコーダの操作態様の一例を示す図解図である。
【図１９】本発明の一実施形態であるＩＣレコーダの感度とマイク部との位置に関係を示す感度テーブルＡを示す図解図である。
【図２０】本発明の一実施形態であるＩＣレコーダの感度とマイク部との位置に関係を示す感度テーブルＢを示す図解図である。
【図２１】本発明の一実施形態であるＩＣレコーダの動作の一部を示すフローチャートである。
【図２２】本発明の一実施形態であるＩＣレコーダの動作の一部の続きを示すフローチャートである。
【図２３】本発明の一実施形態であるマイク部が第１位置に保持されているＩＣレコーダの一部を簡易的に示した正面図である。
【図２４】本発明の一実施形態であるマイク部が第２位置で保持されているＩＣレコーダの一部を簡易的に示した正面図である。
【図２５】本発明の一実施形態であるマイク部の位置とマークの関係を示すテーブルである。
【図２６】本発明の一実施形態であるディスプレイ画面の一例を示す図である。
【図２７】本発明の一実施形態であるディスプレイ画面の他の一例を示す図である
【図２８】本発明の一実施形態である録音シーンと録音機能設定項目の推奨パラメータとの関係を示すテーブルである。
【図２９】本発明の一実施形態であるディスプレイ画面の遷移を示す図である。
【図３０】本発明の一実施形態であるＩＣレコーダの動作の他の一部を示すフローチャートである。
【図３１】本発明の一実施形態であるＩＣレコーダの動作の他の一部の続きを示すフローチャートである。
【発明を実施するための最良の形態】
【００１３】
以下、本発明の録音装置の一実施例として、ＩＣレコーダに実施した形態につき、図面に沿って具体的に説明する。
【００１４】
本発明の一実施形態であるＩＣレコーダ（1）は、図１〜図４に示す如く、扁平な直方体状の筐体（12）を具え、該筐体（12）の表面には、ディスプレイ（14）、操作部(18)及び録音ボタン(16)などが配備されており、筐体（12）を把持して携帯することが可能である。
【００１５】
筐体(12)の上部には、無指向性を有する左右一対のマイクロフォン（4a）（4b）及び、指向性を有するマイクロフォン（2）、マイクロフォン（2）を保持するマイクホルダー（21）を含むマイク部（20）が配備されている。マイク部（20）は、図１及び図２に示す如く、筐体（12）のマイクロフォン（4a）(4b)が配置される配置面の中央に収納されている第１位置である収納位置から、図３及び図４に示す如く筐体(12)の配置面に対して突出された第２位置である突出位置へ移動可能であり、夫々の位置で保持される。なお、マイク部（20）は第２位置から第１位置への移動も可能である。
【００１６】
また、マイク部（20）はメッシュ部を有する保護カバー（22）を備えており、マイク部（20）が第２位置に配置されている状態では、メッシュ部を有する保護カバー（22）が露出されるとともに、保護カバー(22)に覆われた空間が作られ、該メッシュ部を通して該空間に音声を導くことができ、指向性特性が向上する。この空間をキャンセル空間と定義する。
【００１７】
具体的に説明すると、マイクロフォン（2）は図示しない振動板を備え、振動板の後方にも穴や溝を設けている。マイクロフォン（2）の前方、つまり突出方向で発生した音声は振動板の表側に届き、同じ音声は遅れて該穴や溝から入って振動板の裏側に届く。この時間差によって表側に届いた音声は相殺されずに出力される。従って、マイクロフォン（2）の指向性特性に合わせて、振動板の裏側に音声を適度に遅れて届くようにすると指向性特性が向上し、突出方向で発生した音声が捉えやすくなる。上述したようにマイク部（20）が第２位置に配置されている状態では、振動板の裏側への音声の到達を適度に遅らせるためのキャンセル空間が確保できるため、指向性特性が向上するのである。
【００１８】
そして、マイク部（20）が第２位置に配置されている状態では、保護カバー（22）によってキャンセル空間への粉塵等の侵入を予防することができるため、良い指向性特性を保つことができる。
【００１９】
図５及び図６は、マイク部（20）が第１位置に配置されている状態の筐体（12）の上部の詳細を示しており、図５は筐体(12)のディスプレイ（14）などが配備された前面から見た図である。筐体（12）の上部には、無指向性を有する左右一対のマイクロフォン（4a）（4b）、マイクロフォン（4a）（4b）及びマイクロフォン（4a）とマイクロフォン（4b）の間に配置されたマイク部（20）とマイク部（20）に含まれるマイクホルダー（21）を保持するマイクマウンティング（28）が配備される。また、マイクマウンティング（28）は筐体（12）に固設されている。より具体的には、マイク部（20）の内部にマイクロフォン（2）が格納され、マイクロフォン（20）はマイクホルダー（21）に取り付けられている。
【００２０】
図７〜図１０には、マイク部（20）が第１位置に配置されている状態であって、図５及び図６に示した筐体（12）の上部に配備されているマイクロフォン（4a）（4b）が除外された図が示されている。また、図１１〜図１４には、マイク部（20）が第２位置に配置されている状態であって、マイクロフォン（4a）（4b）が除外された図が示されている。
【００２１】
図７及び図１２は筐体(12)の背面から見た図であり、図８及び図１１は筐体（12）の背面からの斜視図であり、図９及び図１３は筐体(12)を上から見た上面図である。また、図１０は図９に示される線Ｂ−Ｂを中心線とした断面図を示しており、図１４は図１３に示される線Ｃ−Ｃを中心線とした断面図を示している。
【００２２】
マイクホルダー（21）の対面側下部にスイッチ(26)が配備されており、スイッチ（26）のマイクホルダー（21）側の上側面にはスイッチノブ（34）が配置されている。マイクホルダー（21）には保護カバー（22）に覆われたキャンセル空間が設けられている。マイクホルダー（21）にはガイドリブ（36）が形成されており、図１５に示すように、筐体（12）には、ガイドリブ（36）を該筐体（12）に対して垂直方向に摺動させるためのガイド溝（37）が設けられている。
【００２３】
マイク部（20）が第１状態に配置されているとき、ガイド溝（37）にガイドリブ（36）が嵌入することでマイク部（20）のガタツキを抑えることができる。
【００２４】
図７〜図１０に示す如く、マイク部（20）が第１位置に配置されている状態では、マイクホルダー（21）によってスイッチノブ（34）が押圧されることにより、スイッチ（26）は該スイッチ（26）に接続される図示しない配線を介して、後述するＣＰＵ（42）へ信号を送る。図１１〜図１４に示す如く、マイク部（20）が第２位置に配置されている状態では、マイクホルダー（21）によってスイッチノブ（34）は押圧されないため、スイッチ(26)はＣＰＵ（42）へ信号を送らない。
【００２５】
マイクマウンティング（28）には１対のマイク保持部（24a）（24b）が配備され、マイクホルダー（21）の外周面には、図１０及び図１４に示す様に、鉄球（32a）が係合可能な、第１係合受け部（102）及び第２系合受け部（103）と鉄球（32b）が係合可能な第３係合受け部（100）及び第４係合受け部（101）が夫々間隔をおいて凹設されている。
【００２６】
鉄球（32a）（32b）は、コイルバネ（30a）（30b）によって、マイクホルダー（21）側へ付勢されており、この付勢によって、鉄球（32a）は第１係合受け部（102）及び第２系合受け部（103）に圧接力をもって係合し、鉄球（32b）は第３係合受け部（100）及び第４係合受け部（101）に圧接力をもって係合することになる。
【００２７】
図７〜図１０に示す如く、マイク部（20）が第１位置にある場合、鉄球（32a）はマイクホルダー（21）の第２系合受け部（103）に圧接力をもって係合し、鉄球（32b）は第４係合受け部（101）に圧接力をもって係合することによって、該位置に保持される。
【００２８】
マイク部（20）に対して、使用者によって第１位置から第２位置方向へ移動させる力が加わると、鉄球（32a）（32b）は、コイルバネ（30a）(30b)の付勢に抗して、夫々の係合受け部から脱する方向に揺動する。なお、ここでは、マイク部（20）を移動させる手段として、使用者が人差し指と親指でマイク部（20）をつまみ上げることや、親指でマイク部（20）を突出方向に押し出す力を加えることが挙げられる。従って、マイク部（20）のサイズは、人間の指と同等、もしくは少し大きいサイズであることが望ましい。
【００２９】
そして図１１〜図１４に示す如く、マイク部（20）が第１位置から第２位置方向へ移動されると、鉄球（32a）はマイクホルダー（21）の第１系合受け部（102）に圧接力をもって係合し、鉄球（32b）は第３係合受け部（100）に圧接力をもって係合することによって、マイク部（20）は第２位置にて保持される。
【００３０】
上記ＩＣレコーダ（1）によれば、マイク部（20）が第１位置及び第２位置間で移動され、しかも第１位置及び第２位置にて正確に位置決めされるため、使用者が所望する配置に正確に設定することが出来る。また、マイク部（20）が第２位置に配置されたときに、適切なキャンセル空間が作られるため、マイクロフォン（2）の指向性特性がより向上する。
【００３１】
また、マイク部（20）は鉄球（32a）（32b）とコイルバネ（30a）(30b)によって軟係止が施されているので、使用者によるマイク部（20）への微小な力が加わることによってガタツキがあったとしても、軟係止によって吸収される。
【００３２】
更に又、軟係止機構として、鉄球（32a）（32b）とコイルバネ（30a）(30b)によって付勢する構成を採用しているので、マイク部（20）に対して一定の軟係止力を与えることが出来る。
【００３３】
次に図１６のブロック図を参照してＩＣレコーダ（1）の電気的な構成を説明する。
【００３４】
ＩＣレコーダ（1）は、ステレオマイク（4）を構成する無指向性を有するマイクロフォン（4a）(4b)と指向性を有するマイクロフォン（2）を含み、録音ボタン（16）による録音操作によってマイクロフォン（4a）(4b)及び／またはマイクロフォン（2）にて集音され、出力されたアナログ音声信号が、マイクロフォン（4a）(4b)及び／またはマイクロフォン（2）に接続されるコーデック（40）へ入力される。コーデック（40）は、入力されたアナログ音声信号をデジタル信号に変換し、所定のデジタル処理を施す。
【００３５】
ＩＣレコーダ（1）の全体を制御するＣＰＵ（42）はバス（44）と接続されており、コーデック（40）でデジタル処理が施されたデジタル音声データをＳＤＲＡＭ（46）へ一旦格納させる。バス（44）には、コーデック（40）、ＣＰＵ（42）、ＳＤＲＡＭ（46）、フラッシュメモリ（48）、ディスプレイ（14）、ＤＳＰ（Digital Signal Processor)（50）及び外部メモリコントローラ（52）が接続されており、フラッシュメモリ（48）には、ＣＰＵ（42）が実行するプログラム、及び該プログラムを実行するためのパラメータ等が記憶されている。
【００３６】
また、スイッチ（26）、操作部（18）及び録音ボタン（16）は、ＣＰＵ（42）と接続されており、スイッチ（26）から送られてくる信号や、操作部（18）及び録音ボタン（16）の操作に応じて、ＣＰＵ（42）が操作内容を把握し、操作内容に応じたプログラムを、プログラムを実行するためのパラメータを用いて実行する。
【００３７】
さて、記録時のファイル形式としてＭＰ３方式が採用される場合には、ＳＤＲＡＭ（46）に一旦格納されたデジタル音声データは、ＤＳＰ（50）へ出力され、ＤＳＰ（50）は、入力されたデジタル音声データに対してＭＰ３形式で圧縮処理を施し、ＳＤＲＡＭ（46）へＭＰ３音声ファイルとして一旦格納する。そして、ＣＰＵ（42）は外部メモリコントローラ（52）を制御して、ＳＤＲＡＭ（46）に格納されているＭＰ３音声ファイルを外部メモリカード（54）へ記録する。
【００３８】
また、ファイル形式としてＰＣＭ方式が採用される場合には、ＳＤＲＡＭ（46）に一旦格納されたデジタル音声データをＰＣＭ形式の音声ファイルにして、ＣＰＵ（42）は外部メモリコントローラ（52）を制御して、ＳＤＲＡＭ（46）に格納されているＰＣＭ音声ファイルを外部メモリカード（54）へ記録する。上述した、マイクロフォン（4a）（4b）及び／またはマイクロフォン（2）から出力されたアナログ音声信号に対する処理から記録までの処理を録音処理と定義し、これらの処理が行われるモードを録音モードと定義する。また、後述する再生処理が行われるモードを再生モードと定義する。
【００３９】
本実施例においては、各音声ファイルを外部メモリカード（54）に記録しているが、ＩＣレコーダ（1）内に図示しない不揮発性の内蔵メモリを設けて、記録するようにしてもよい。
【００４０】
操作部（18）に対して再生開始操作が為されると、ＣＰＵ（42）は音声再生処理を開始し実行する。具体的には、ＭＰ３音声ファイルが再生対象の場合には、外部メモリカード（54）からＳＤＲＡＭ（46）へ一旦格納され、ＤＳＰ（50）において伸張処理が施される。伸張処理が施されたデジタル伸張音声信号は、再びＳＤＲＡＭ（46）へ格納され、コーデック（40）へ出力される。再生対象の音声ファイルがＰＣＭ形式の音声ファイルである場合には、外部メモリカード（54）からコーデック（40）へ出力される。
【００４１】
コーデック（40）では、デジタル伸張音声信号がアナログ伸張音声信号に変換され、アンプ（43）へ出力されることによって増幅処理が施される。そして、スピーカ（48）へ出力される。なお、本実施例においては、外部メモリカード（54）に記録されている各音声ファイルを再生しているが、ＩＣレコーダ（1）内に図示しない不揮発性の内蔵メモリを設けて、該メモリに記録されている各音声ファイルを再生するようにしてもよい。
【００４２】
本実施例のＩＣレコーダ（1）は、上述したようにマイク部（20）は、図１及び図２に示す如く筐体(12)に収納されている第１位置である収納位置から、図３及び図４に示す如く筐体(12)対して突出された第２位置である突出位置に移動可能であり、夫々の位置で保持される。
【００４３】
そして、マイク部（20）が第１位置に配置されている状態において、録音ボタン（16）に対して録音操作が為されると、ＣＰＵ（42）は、マイクロフォン（4a）（4b）において集音され、出力されたアナログ音声信号に対する録音処理を実行する。このときマイクロフォン（2）は音声の集音を行わない。ここでは、マイクロフォン（4a）（4b）が配置されている場所に集まった音を集音し、ステレオ録音を行う。
【００４４】
一方、マイク部（20）が第２位置に配置されている状態において、録音ボタン（16）に対して録音操作が為されると、ＣＰＵ（42）は、マイクロフォン（2）において集音し、出力されたアナログ音声信号に対する録音処理を実行する。このときマイクロフォン（4a）（4b）は音声の集音を行わない。このとき、マイクロフォン（2）の突出方向における音声が主として録音される。このときの録音をズーム録音と定義する。
【００４５】
使用者はマイク部（20）を第１位置と第２位置のいずれかの間で、所望の位置に動かすことにより、集音機能を果たすマイクロフォンとして、マイクロフォン（2）またはマイクロフォン（4a）（4b）のいずれかを使用する。従って、使用者は複雑な手続きなしで、マイクロフォンを切り替えることができる。言い換えればステレオ録音とズーム録音をマイク部（20）の位置を動かすことにより切り替えることができるのである。
【００４６】
具体的に説明すると、上述したように図７〜図１０に示す如く、マイク部（20）が第１位置（収納位置）に配置されている状態では、スイッチノブ（34）が押圧されることにより、スイッチ（26）は該スイッチ（26）に接続される図示しない配線を介して、後述するＣＰＵ（42）へ信号を送り続ける。図１１〜図１４に示す如く、マイク部（20）が第２位置（突出位置）に配置されている状態では、スイッチノブ（34）は押圧されないため、スイッチ(26)はＣＰＵ（42）へ信号を送らない。
【００４７】
ＣＰＵ（42）は、スイッチ（26）からの信号の有り無し、つまり信号の状態に応じてフラッシュメモリ（48）に格納されているフラグＦの値を設定する。具体的には、信号が有ることを検知する、つまり第１位置であることを検知すると、フラグＦの値を“１”に設定する。信号が無いことを検知する、つまり第２位置であることを検知すると、フラグＦの値を“０”に設定する。
【００４８】
そしてＣＰＵ（42）は、図１７に示すマイクテーブルを参照して録音条件を設定する。図１７に示すマイクテーブルは、マイクロフォン（4a）（4b）及びマイクロフォン（2）のＯＮ／ＯＦＦとフラグＦの値に基づく第１位置及び第２位置の関係を示すテーブルである。
【００４９】
ＣＰＵ（42）は、マイクテーブルを参照して第１位置であるときにはマイクロフォン（4a）（4b）に集音動作させる“ＯＮ”を設定し、マイクロフォン（2）には集音動作させない“ＯＦＦ”を設定する。第２位置であるときには、マイクロフォン（4a）（4b）に集音動作させる“ＯＦＦ”を設定し、マイクロフォン（2）に集音動作させる“ＯＮ”を設定する。
【００５０】
さらに、マイクロフォン（4a）(4b)及び／またはマイクロフォン（2）から出力されるアナログ音声信号は、ＣＰＵ（42）が録音機能設定項目に対するテーブルを参照してマイクロフォン（4a）(4b)及び／またはマイクロフォン（2）、コーデック（40）やＤＳＰ（50）を制御し、夫々録音機能設定項目に沿った処理を施すことによって、外部メモリカード（54）に記録される。
【００５１】
録音機能設定項目としては、音声を圧縮する際の“圧縮比率”、マイクロフォン（2）（4a）（4b）の“マイク感度”、空調音やプロジェクターのファンノイズ、屋外録音時での風切音などに該当する低周波数をカットするための“フィルタ”のレベル、及び録音中の突然の過大入力を抑制する“録音リミッター”が設けられている。
【００５２】
図１８は、録音機能設定項目が変更される際の遷移を示す図である。
【００５３】
操作部（18）に対してメニュー呼び出し機能に相当する操作がなされると、各種録音設定画面に移行し、４つの設定項目である“圧縮比率”、“マイク感度”、“フィルター”及び“録音リミッター”の機能の中から一つの項目が選択できるように表示される（図１８（Ａ））。
【００５４】
図１８（Ａ）に示すようにディスプレイ(14)に４つの設定項目が表示された状態で、操作部（18）に対していずれかの項目を選択するようにシフト機能及び設定機能に相当する操作がなされると、各項目の設定画面に移行する。“圧縮比率”が選択されると、４つの圧縮比率設定項目である“９６ｋ／２４ｂｉｔ”、“４４ｋ／２４ｂｉｔ”、“ＭＰ３／１９２ｋｂｐｓ”及び“ＭＰ３／１２８ｋｂｐｓ”の中から一つの項目が選択できるように表示される（図１８（Ｂ））。
【００５５】
ここで、“９６ｋ／２４ｂｉｔ”は音声信号を１秒間に９万６０００分割し、音の大きさを２の２４乗、つまり１６７８万階調で表現することを示している。“４４ｋ／２４ｂｉｔ”は、音声信号を１秒間に４万４０００分割し、音の大きさを１６７８万階調で表現することを示している。“ＭＰ３／１９２ｋｂｐｓ”は、音声信号をＭＰ３形式で１９２ｋｂｐｓの転送効率で圧縮していることを示している。“ＭＰ３／１２８ｋｂｐｓ”は、音声信号をＭＰ３形式で１２８ｋｂｐｓの転送効率で圧縮していることを示している。
【００５６】
また、ディスプレイ(14)に図１８（Ａ）に示す画面が表示された状態で“マイク感度”が選択されると、２つのマイク感度設定項目である“高感度”または“低感度”の項目が選択できるように表示される（図１８（Ｃ））。
【００５７】
ここで、マイク感度とは、マイクロフォン（2）（4a）（4b）から出力されるアナログ音声信号をどのような大きさのレベルで出力するかを示しており、“高感度”であればレベルが高く、“低感度”であればレベルが低いことを示している。
【００５８】
同様に、ディスプレイ（14）に図１８（Ａ）に示す画面が表示された状態で“フィルター”が選択されると、３つのフィルター設定項目である“ＯＦＦ”、“３００ｋＨｚ／ＯＮ”及び“５００ｋＨｚ／ＯＮ”の中から一つの項目が選択できるように表示される（図１８（Ｄ））。
【００５９】
ここで“３００ｋＨｚ／ＯＮ”は、音声信号の３００ｋＨｚ以下の部分をカットすることを示しており、“５００ｋＨｚ／ＯＮ”は、音声信号の５００ｋＨｚ以下の部分をカットすることを示している。
【００６０】
同様に、ディスプレイ（14）に図１８（Ａ）に示す画面が表示された状態で“録音リミッター”が選択されると、２つの録音リミッター設定項目である“ＯＦＦ”または“ＯＮ”を選択できるように表示される（図１８（Ｅ））。
【００６１】
なお、マイク感度については、使用者によって選択された感度（“高感度”または“低感度”）が存在するものの、実際には、マイク部（20）の配置位置と使用者に選択された感度に基づいて、適用される感度が設定される。
【００６２】
具体的に説明すると、感度のレベルとしてレベル１〜レベル４の４種類が設けられており、レベル１が１番低い感度を示し、レベル２、レベル３と感度レベルが上がり、レベル４が１番高い感度を表している。
【００６３】
図１９は、使用者によって選択された感度が“高感度”であるときのマイク部（20）の配置位置、つまりフラグＦの値とマイクロフォン（2）（4a）（4b）の感度レベルの関係を示す感度テーブルＡを示しており、図２０は、使用者によって選択された感度が“低感度”であるときのマイク部（20）の配置位置、つまりフラグＦの値とマイクロフォン（2）（4a）（4b）の感度レベルの関係を示す感度テーブルＢを示している。
【００６４】
使用者が所望する感度として“高感度”を選択し、マイク部（20）が第２位置に配置されている場合、ＣＰＵ（42）は図１９に示す感度テーブルＡを参照してマイクロフォン（2）の感度レベルをレベル４に設定する。また、マイク部（20）が第１位置に配置されている場合には、マイクロフォン（4a）（4b）の感度レベルをレベル３に設定する。
【００６５】
一方、使用者が所望する感度として“低感度”を選択し、マイク部（20）が第２位置に配置されている場合、ＣＰＵ（42）は図２０に示す感度テーブルを参照して、マイクロフォン（2）の感度レベルをレベル２に設定する。また、マイク部（20）が第１位置に配置されている場合には、マイクロフォン（4a）（4b）の感度レベルをレベル１に設定する。
【００６６】
なお、マイク部（20）が第２位置に配置されているときのマイクロフォン（4a）（4b）、及びマイク部（20）が第１位置に配置されているときのマイクロフォン（2）に対しては感度を調節しない、つまりマイクロフォンから出力される出力電圧の大きさを調節しない。これは、マイク部（20）が第１位置に配置されているときのマイクロフォン（2）及びマイク部（20）が第２位置に配置されているときのマイクロフォン（4a）（4b）は、集音を行わないため感度調節が不要であるからである。
【００６７】
このように、使用者が所望する感度を選択したにもかかわらず、ＣＰＵ（42）は選択された感度とマイク部（20）の配置位置に応じて感度レベルを設定する。その理由としては、マイク部（20）が第２位置（突出位置）に配置されているとき、使用者は前方、つまり突出方向の音声を主とした録音を意識しているため、同じ“高感度”が選択されている場合でも、第１位置（収納位置）における信号出力よりも、第２位置における信号出力が大きいほうが、つまりは感度レベルが高いほうが使用者の操作の意図に適っているからである。
【００６８】
なお、マイク部（20）が第１位置に配置されている場合、マイクロフォン（2）はＯＦＦされており、マイク部（20）が第２位置に配置されている場合、マイクロフォン（4a）（4b）はＯＦＦされているため、例え感度を設定していたとしても音声信号は出力されない。従ってＯＦＦされるマイクロフォンについて、感度レベルをどのレベルに設定してもよい。
【００６９】
次に図２１及び図２２に示すマイクロフォン制御タスクのフローチャートを参照して、上述したマイクロフォン制御における処理を説明する。これらの処理は、フラッシュメモリ（48）に格納された夫々のプログラムをＣＰＵ（42）が実行することにより、実現される。
【００７０】
ＩＣレコーダ（1）に電源が投入されると、ＣＰＵ（42）はステップＳ１０１において、スイッチ（26）からの信号の検出を行う。そしてステップＳ１０３へ進み、スイッチ（26）からの信号が有るか否かを判別する。ステップＳ１０３においてＹＥＳと判別すると、ステップＳ１０５へ進みフラグＦの値を１に設定し、ステップＳ１０９へ進む。ステップＳ１０３においてＮＯと判別すると、ステップＳ１０７へ進み、フラグＦの値を０に設定する。そしてステップＳ１０９へ進む。
【００７１】
ステップＳ１０９では、使用者によって選択された感度を検出する。具体的には、“高感度”が選択されたか、“低感度”が選択されたかを検出する。そして、ステップＳ１１１へ進み選択された感度が“高感度”であるか否かを判別する。ステップＳ１１１においてＹＥＳと判別するとステップＳ１１３へ進み、図１９に示す感度テーブルＡを参照してマイクロフォン（2）（4a）（4b）の感度を夫々設定して、ステップＳ１１７へ進む。また、ステップＳ１１１においてＹＥＳと判別するとステップＳ１１５へ進み、図２０に示す感度テーブルＢを参照してマイクロフォン（2）（4a）(4b)の感度を夫々設定して、ステップＳ１１７へ進む。
【００７２】
ステップＳ１１７では、録音ボタン（16）が操作されることにより録音開始操作が有ったか否かを判別する。ステップＳ１１７においてＮＯと判別すると、ステップＳ１２１に進み、使用者による感度選択操作が有ったか否かを判別する。ステップＳ１２１においてＹＥＳと判別されるとステップＳ１０９へ戻り、ＮＯと判別されると、ステップＳ１２２進む。ステップＳ１２２では、スイッチ（26）からの信号に変化があったか否かを判別する。ステップＳ１２２においてＹＥＳと判別するとステップＳ１０３へ戻り、ＮＯと判別するとステップＳ１１７へ戻る。
【００７３】
次に、ステップＳ１１７においてＹＥＳと判別すると、ステップＳ１１９へ進み、図１７に示すマイクテーブルを参照して、各マイクロフォンのＯＮ／ＯＦＦを設定する。そしてステップＳ１２３へ進み、マイクロフォンから出力されるアナログ音声信号に基づき録音処理の実行を開始してステップＳ１２５へ進む。ステップＳ１２５では操作部（18）が操作されることによる録音終了操作が有ったか否かを判別し、ＹＥＳと判別するまで、録音終了操作が有ったか否かの判別を繰り返す。
【００７４】
ステップＳ１２５においてＹＥＳと判別すると、ステップＳ１２７へ進み全てのマイクロフォン（2）（4a）（4b）をＯＦＦし、録音処理を終了させ、ステップＳ１１７へ戻る。
【００７５】
以上説明したように、本実施例におけるＩＣレコーダ（1）は、移動可能なマイク部（20）の配置位置に応じて、集音させるマイクロフォンが設定されるため、使用者はマイク部（20）を移動させるだけで、所望の録音形態で音声を録音することができる。また、マイク部（20）を移動させるだけで、適切なマイク感度が設定されるため、より適切な録音条件で音声を録音をすることができる。
【００７６】
また、マイク部（20）が第１位置と第２位置間で移動され、しかも第１位置及び第２位置にて正確に位置決めされるため、使用者が所望する配置に正確に設定することが出来る。また、マイク部（20）が第２位置に配置されたときに、適切なキャンセル空間が作られるため、マイクロフォン（2）の指向性特性がより向上する。また、マイク部（20）が第１位置に配置されたときは、マイクロフォン（2）にとっての適切なキャンセル空間が消滅するが、このときマイクロフォン（2）での集音は行わないので、録音時に何ら支障をきたさない。このように、マイク部（2）を移動させることによって、使用者はマイクロフォンの指向性特性を意識せずともより質の高い音声を録音することができる。
【００７７】
なお、本第１実施例において、録音処理中にマイク部（20）が移動された場合であっても、操作部（18）によって停止操作が行われるまでは、集音するマイクロフォンや感度のレベルは変更されない。
【００７８】
次に本発明の録音装置の第２実施例として、ＩＣレコーダに実施した形態につき、具体的に説明する。第２実施例のＩＣレコーダは、基本的構造は第１実施例のＩＣレコーダ(1)と同様であるが、マイク部（20）の配置によって、録音機能設定項目（“圧縮比率”、“マイク感度”、“ＡＬＣ”、“フィルター”及び“録音リミッター”）にパラメータを自動的に設定するダイレクト設定が可能である点で異なる。従って、異なる点のみを説明する。
【００７９】
図２３及び図２４は、筐体（12）の上部について、マイク部（20）が第１位置（収納位置）に配置されている状態及びマイク部（20）が第２位置（突出位置）に配置されている状態を簡略化した図を示している。
【００８０】
ＩＣレコーダ（1）の電源がＯＦＦ状態からＯＮ状態になると、ＣＰＵ（42）はスイッチ（26）からの信号の状態に応じてフラッシュメモリ（48）に格納されているフラグＦの値を設定し、設定された値に応じてディスプレイ（14）に所定画面を表示させる。具体的には、フラグＦの値が“１”であれば、図２６に示すように、マイクロフォン（4a）（4b）において集音するモードである“ステレオモード”を示す画面を２秒間表示させる。フラグＦの値が“０”であれば、図２７に示すように、マイクロフォン（2）において集音するモードである”ズームモード“を示す画面を２秒間表示させる。
【００８１】
また、ＩＣレコーダ(1)の電源投入時以外においても、マイク部（20）の配置位置に変化があった時、つまりにマイク部（20）が第１位置（収納位置）に配置されている状態から、第２位置（突出位置）に配置変更されたとき、ＣＰＵ(42)は、図２７に示す“ズームモード”を示す画面を２秒間表示させ、マイク部（20）が第２位置に配置されている状態から、第１位置に配置変更されたとき、図２６に示す“ステレオモード”を示す画面を２秒間表示させる制御を行う。ＣＰＵ（42）は、スイッチ（26）からの常時、又は一定時間毎に送信される信号の状態に変化が有ったときをトリガとして、信号の状態に応じたフラグＦの値を設定し、設定された値に応じてディスプレイ（14）に所定画面を表示させている。
【００８２】
図２６及び図２７の如く、画面に“ステレオモード”又は“ズームモード”を示すメッセージを２秒間表示させた後、図２９（Ａ）に示す基本画面、すなわち録音待機状態画面に遷移する。基本画面には、各種情報が表示されている。特にマーク（202）は、登録されている録音シーンを示しており、マーク（200）はマイクロフォンが集音する現在のモードを示している。マイク部（20）が第１位置に配置されていれば、図２５に示すように第１位置に対応するマークが表示され、マイク部（20）が第２位置に配置されていれば、図２５に示すように第２位置に対応するマークが表示される。図２９（Ａ）に示す基本画面では、マーク（200）として第１位置に対応するマークが表示されている。
【００８３】
さて、近年のＩＣレコーダは、録音シーンの多様化、多機能化に伴い、ユーザは録音する状況（シーン）ごとに、複数の録音機能設定項目（“圧縮比率”、“マイク感度”、“ＡＬＣ”、“フィルター”及び“録音リミッター”）のパラメータをそれぞれ設定する必要がある。
【００８４】
そこで、本第２実施例のＩＣレコーダ（10）では、予め複数の録音シーンを想定し、想定されるシーン夫々に適するパラメータを保持している。より具体的には、録音機能設定項目に対して推奨するパラメータが設定されている。
【００８５】
ここで、ユーザによって所望の録音シーンが選択されると、該シーンに適するパラメータが録音機能設定項目に設定される。そして、録音ボタン(16)が押されると、録音機能設定項目に設定されたパラメータに基づいて、録音処理を実行する。
【００８６】
録音機能設定項目と録音シーンとの関係について図２８を参照して説明する。フラッシュメモリ（48）には、図２８に示す録音シーンテーブルが格納されている。録音シーンテーブルには、複数の録音シーンと録音機能設定項目である“圧縮比率”、“マイク感度”、“ＡＬＣ”、“フィルター”及び“録音リミッター”に対して推奨するパラメータとが関連付けられて格納されている。
【００８７】
“圧縮比率”、“マイク感度”、“フィルター”及び“録音リミッター”については、第１実施例で説明した機能と同様である。“ＡＬＣ”は、音声を適切な音量で自動的に録音させるために、自動で音量を調節する機能である。なお、“ユーザー１”及び“ユーザー２”は、ユーザによって設定されたパラメータが格納される。ここで、図２８に示されている“ユーザー１”及び“ユーザー２”には、録音機能設定項目に対するパラメータとしてデフォルト値が格納されている。
【００８８】
ユーザの操作によりメニューが読み出されて、録音シーンとして“ＯＦＦ”、“口述”、“会議・講義”、“音楽”、“ユーザー１”及び“ユーザー２”の中から所望のシーンが選択されると、図２８に示す録音シーンテーブルが参照され、選択されたシーンに対応するパラメータが各録音機能設定項目に自動的に設定される。
【００８９】
また、メニューの読み出しによるシーン選択の操作が為されずとも、予めユーザがマイク部(20)の配置に対応する録音シーンを指定しておけば、マイク部(20)の配置に応じて、指定された録音シーンに対応するパラメータが、図２８に示す録音シーンテーブルを参照して録音機能設定項目に自動的に設定される。この、マイク部(20)の配置に応じて録音機能設定項目にパラメータが自動的に設定されることを、ダイレクトシーン設定と称す。
【００９０】
次に、マイク部(20)の配置に対して録音シーンを指定する手順について、図２９を参照して説明する。
【００９１】
図２９（Ａ）に示すように基本画面がディスプレイ（14）に表示されている状態で、操作部(18)に含まれるメニューボタンが押されると、図２９（Ｂ）に示す各種録音設定画面に遷移する。各種録音設定画面では、“圧縮比率”、“マイク感度”、“フィルター”、“録音リミッター”及び“ダイレクトシーン設定”を選択できる項目が表示される。例えば“圧縮比率”が選択されると、圧縮比率のパラメータが選択可能となる。ここで選択されたパラメータは、録音機能設定項目に設定され、次の録音開始操作がなされたとき、設定されたパラメータに基づいて録音処理を実行する。
【００９２】
図２９（Ｂ）に示す各種録音設定画面において、操作部(18)に含まれる停止ボタンが押されると、図２９（Ａ）に戻る。また、該画面において“ダイレクトシーン設定”が操作部(18)に含まれるカーソルキーによって選択され、決定ボタンが押されると、図２９（Ｃ）に示す、ダイレクトシーン設定の詳細を示す画面に遷移する。
【００９３】
ダイレクトシーン設定の詳細画面では、“ステレオモード”のとき、つまりマイク部（20）が第１位置（収納位置）に配置されたときに有効化する録音シーンを操作部(18)が操作されることによって設定することができる。同様に、“ズームモード”のとき、つまりマイク部（20）が第２位置（突出位置）に配置されたときに有効化する録音シーンを操作部(18)が操作されることによって設定することができる。
【００９４】
図２９（Ｃ）では、“ステレオモード”及び“ズームモード”両モードにおいて録音モードはＯＦＦとされている。これは、ダイレクトシーン設定をＯＦＦとしていることを意味している。これによれば、電源投入時、又はマイク部(20)の配置変化に応じて、録音シーンテーブルを参照することによる、録音機能設定項目に対する自動的パラメータの設定が為されることはない。図２９（Ｃ）に示される画面において、操作部（18）が操作されることによって、“ステレオ”と同じ行に示される“ＯＦＦ”の文字列が選択されると、図２９（Ｄ）に示すステレオの詳細画面に遷移する。
【００９５】
ステレオの詳細画面では、録音シーンの“ＯＦＦ”、“口述”、“会議・講義”及び“音楽”の中から操作部(18)が操作されることによって選択できる。ユーザが、マイク部(20)を第１位置に配置したときに、録音シーンとして“音楽”シーンを所望するのであれば、図２９（Ｄ）に示すように、ステレオ詳細画面において、操作部（18）によって“音楽”を選択／決定する。すると、図２９（Ｆ）に示すようにダイレクトシーン設定の詳細画面に遷移する。図２９（Ｆ）では、図２９（Ｃ）に表示されていた“ＯＦＦ”の位置に“音楽”が表示される。
【００９６】
こうすることによって、“ステレオモード”のとき、つまりマイク部（20）が第１位置（収納位置）に配置されたとき録音シーンとして“音楽”シーンが有効化される。有効化されるということは、録音機能設定項目に、録音シーンテーブルに格納されている“音楽”シーンに対応するパラメータが自動的に設定される。そして、録音ボタン(16)が押されると、設定されたパラメータを用いて録音処理が実行される。
【００９７】
ダイレクトシーン設定の詳細画面において、“ズーム”と同じ行に示される“ＯＦＦ”の文字列が選択されると、図２９（Ｅ）に示すズームの詳細画面に遷移する。ステレオの詳細画面と同様の手順によって、“音楽”が選択決定されると、図２９（Ｇ）に示すように、ダイレクトシーン設定詳細画面に遷移する。この画面では、“ズームモード”のとき、つまりマイク部（20）が第２位置（突出位置）に配置されたとき録音シーンとして“音楽”シーンが有効化されることを示しており、録音機能設定項目には、録音シーンテーブルに格納されている“音楽”シーンに対応するパラメータが自動的に設定される。
【００９８】
図２９（Ｂ）〜（Ｇ）に示される画面において操作部(18)に含まれる停止ボタン及び又はカーソルキーが操作されることによって、１つ前の画面（カーソルキー操作時が図２９（Ｂ）の画面であれば、図２９（Ａ）の画面）に戻る。
【００９９】
このように、予めユーザがマイク部(20)の配置に対応する所望の録音シーンを指定しておけば、マイク部(20)の配置に応じて、指定された録音シーンに対応する推奨パラメータが、録音機能設定項目に自動的に設定されるため、録音するための設定操作が簡易となる。更に、電源投入時又はマイク部(20)の配置が変化したときに、どのマイクロフォンで集音するかを示すモードを示す画面が一定時間表示されるため、使用者は、現在の録音モードが認識しやすくなる。
【０１００】
次に図３０及び図３１に示す第２実施例におけるマイクロフォン制御タスクのフローチャートを参照して、上述した第２実施例におけるマイクロフォン制御における処理を説明する。これらの処理は、フラッシュメモリ（48）に格納された夫々のプログラムをＣＰＵ（42）が実行することにより、実現される。
【０１０１】
ＩＣレコーダ（1）に電源が投入されると、ＣＰＵ（42）は、ステップＳ２０１において、スイッチ(26)からの信号の検出を行う。そしてステップＳ２０３へ進み、スイッチ（26）からの信号が有るか否かを判別する。ステップＳ２０３においてＹＥＳと判別すると、ステップＳ２０５へ進み、フラグＦの値を１に設定し、ステップＳ２０９へ進む。ステップＳ２０９では、ディスプレイ（14）上に、これから録音ボタン(16)が押された際に、マイクロフォン（4a）（4b）で集音することを示す“ステレオモード”画面を表示させ、ステップＳ２１３へ進む。
【０１０２】
ステップＳ２０３においてＮＯと判別すると、ステップＳ２０７へ進み、フラグＦの値を０に設定し、ステップＳ２１１へ進む。ステップＳ２１１では、マイクロフォン（2）で集音することを示す“ズームモード”画面を表示させ、ステップＳ２１２へ進む。
【０１０３】
ステップＳ２１２では、現在のマイク部（20）の配置におけるダイレクトシーン設定が為されているか否かを判別する。具体的には、マイク部（20）が第１位置に配置されている場合、第１位置に対して割り当てられているシーンが有るか否か、又はマイク部（20）が第２位置に配置されている場合、第２位置に対して割り当てられているシーンが有るか否かを判別する。ステップＳ２１２においてＹＥＳと判別されると、ステップＳ２１３へ進み、上述したダイレクトシーン設定を実行して、ステップＳ２１７へ進む。ステップＳ２１２においてＮＯと判別されると、ステップＳ２１７へ進む。
【０１０４】
ステップＳ２１７では、録音ボタン(16)が操作されることにより録音開始操作が有ったか否かを判別する。ステップＳ２１７においてＮＯと判別すると、ステップＳ２２１へ進み、他のシーンへの変更操作が有ったか否かを判別する。この変更操作は、ユーザがディスプレイ(14)に表示される画面を参照して、操作部（18）を操作することによりシーンを変更することを意味する。
【０１０５】
ステップＳ２２１においてＹＥＳと判別すると、ステップＳ２１７へ戻る。ステップＳ２２１においてＮＯと判別すると、ステップＳ２２２へ進み、ステップＳ２２２では、スイッチ（26）からの信号に変化が有ったか否かを判別する。ステップＳ２２２においてＹＥＳと判別するとステップＳ２０３へ戻り、ＮＯと判別するとステップＳ２１７へ戻る。
【０１０６】
ステップＳ２１７においてＹＥＳと判別すると、ステップＳ２１９へ進み、図１７に示すマイクテーブルを参照して、各マイクロフォンのＯＮ／ＯＦＦを設定する。そしてステップＳ２２３へ進み、マイクロフォンから出力されるアナログ音声信号に基づき録音処理の実行を開始してステップＳ２２５へ進む。ステップＳ２２５では操作部（18）が操作されることによる録音終了操作が有ったか否かを判別し、ＹＥＳと判別するまで、録音終了操作が有ったか否かの判別を繰り返す。
【０１０７】
ステップＳ２２５においてＹＥＳと判別すると、ステップＳ２２７へ進み、全てのマイクロフォン（2）（4a）（4b）をＯＦＦし、録音処理を終了させ、ステップＳ２１７へ戻る。
【０１０８】
ステップＳ２２５においてＮＯと判別すると、ステップＳ２２９へ進み、スイッチ（26）からの信号に変化が有ったか否かを判別する。ステップＳ２２９においてＮＯと判別すると、ステップＳ２２５へ戻る。ステップＳ２２９においてＹＥＳと判別するとステップＳ２３１へ進む。ステップＳ２３１では、スイッチ（26）からの信号が有るか否かを判別する。ステップＳ２３１においてＹＥＳと判別すると、ステップＳ２３３へ進み、フラグＦの値を１に設定し、ステップＳ２３７へ進む。ステップＳ２３１においてＮＯと判別すると、ステップＳ２３５へ進み、フラグＦの値を０に設定し、ステップＳ２３７へ進む。ステップＳ２３７では、図１７に示すマイクテーブルを参照して、各マイクロフォンのＯＮ／ＯＦＦを設定し、ステップＳ２２５へ戻る。
【０１０９】
なお、第２実施例において、録音処理以外の処理（例えば再生処理など）中にマイク部（20）の配置に変化があったときにおいては、スイッチ（26）からの信号に応じてフラグＦの値を設定し、図１７に示すマイクテーブルを設定して、各マイクロフォンＯＮ／ＯＦＦを設定する。
【０１１０】
また、本第１及び第２実施例において、マイク部（20）を移動させる手段として、使用者が人差し指と親指でマイク部（20）をつまみ上げることや、親指でマイク部（20）を突出方向に押し出す力を加えることが挙げられることを説明したが、これに限らず、図示しないボタンを押すことによって自動的にマイク部（20）を移動させてもよい。
【０１１１】
また、本第１及び第２実施例において、マイク部（20）が第１位置にあるか、第２位置にあるかを検出する手段としてスイッチ（26）がＣＰＵ（42）へ信号を送ることを説明したが、ＣＰＵ(42)がスイッチ（26）を監視することにより、スイッチ（26）の状態を検知してもよい。例えば、抵抗を含み、スイッチノブ（34）が押圧されると抵抗を流れる電流が変化するようなスイッチ（26）を構成し、押圧されている状態とされていない状態における抵抗にかかる電圧を測ることによって、マイク部（2）が第１位置にあるか第２位置にあるかを検知してもよい。
【符号の説明】
【０１１２】
１        ・・・  ＩＣレコーダ
２        ・・・  マイクロフォン
４ａ      ・・・  マイクロフォン
４ｂ      ・・・  マイクロフォン
２０      ・・・  マイク部
２６      ・・・  スイッチ
４０      ・・・  コーデック
４２      ・・・  ＣＰＵ
４６      ・・・  ＳＤＲＡＭ
４８      ・・・  フラッシュメモリ
５０      ・・・  ＤＳＰ
【図１】
2012100238.tif 000003
【図２】
2012100238.tif 000004
【図３】
2012100238.tif 000005
【図４】
2012100238.tif 000006
【図５】
2012100238.tif 000007
【図６】
2012100238.tif 000008
【図７】
2012100238.tif 000009
【図８】
2012100238.tif 000010
【図９】
2012100238.tif 000011
【図１０】
2012100238.tif 000012
【図１１】
2012100238.tif 000013
【図１２】
2012100238.tif 000014
【図１３】
2012100238.tif 000015
【図１４】
2012100238.tif 000016
【図１５】
2012100238.tif 000017
【図１６】
2012100238.tif 000018
【図１７】
2012100238.tif 000019
【図１８】
2012100238.tif 000020
【図１９】
2012100238.tif 000021
【図２０】
2012100238.tif 000022
【図２１】
2012100238.tif 000023
【図２２】
2012100238.tif 000024
【図２３】
2012100238.tif 000025
【図２４】
2012100238.tif 000026
【図２５】
2012100238.tif 000027
【図２６】
2012100238.tif 000028
【図２７】
2012100238.tif 000029
【図２８】
2012100238.tif 000030
【図２９】
2012100238.tif 000031
【図３０】
2012100238.tif 000032
【図３１】
2012100238.tif 000033